(57)【要約】【課題】  点検作業等のために収納庫の設置箇所から床下に潜り込む必要がある場合に、ビーム部材の取り外しが自在であって、かつ、収納ボックスの荷重の支持強度にも優れた床下収納庫の吊支構造を提供すること。【解決手段】  床材開口部Ｈの縁部対向位置に、一対の吊支アーム１・１における基端部12の止着部12ａをそれぞれ垂設する一方、当該吊支アーム１・１の先端部11における掛止フック部11ａは、前記ビーム部材２の両端部における掛合部21にそれぞれ掛合することによって、これらの吊支アーム１・１間にビーム部材２を着脱自在かつ略水平に横架して、当該ビーム部材２の上に収納ボックスＢを載置可能であるとともに、当該収納ボックスＢの荷重を、吊支アーム１の掛止フック部11ａにおいて、当該吊支アーム１の軸方向引張力により支持するという技術的手段を採用した。【選択図】  図１
2006274552.tif 000002
【特許請求の範囲】
【請求項１】
床下に設置される収納庫において収納ボックスＢを吊支する構造であって、
先端部11には掛止フック部11ａを有し、かつ、基端部12には止着部12ａを有する吊支アーム１と；略コの字型断面であって、長手方向の両端部近傍にそれぞれ掛合部21を有するビーム部材２とを具備しており、
床材開口部Ｈの縁部対向位置に、一対の吊支アーム１・１における基端部12の止着部12ａがそれぞれ垂設されている一方、
当該吊支アーム１・１の先端部11における掛止フック部11ａに、前記ビーム部材２の両端部における掛合部21をそれぞれ掛合することによって、これらの吊支アーム１・１間にビーム部材２が着脱自在かつ略水平に横架されて、当該ビーム部材２の上に収納ボックスＢが載置可能であるとともに、
当該収納ボックスＢの荷重は、吊支アーム１の掛止フック部11ａにおいて、当該吊支アーム１の軸方向引張力により支持されていることを特徴とする床下収納庫の吊支構造。
【請求項２】
ビーム部材２の上面板体22の端縁の一部が切欠されて掛合部21が形成されており、吊支アーム１の先端部11をスライドさせて掛止フック部11ａを掛合可能にしたことを特徴とする請求項１記載の床下収納庫の吊支構造。
【請求項３】
ビーム部材２の上面板体22にＴ字型スリット22ａが貫設されて掛合部21が形成されており、このＴ字型スリット22ａの幅広差入部22ｂから吊支アーム１の先端部11を挿通して、側方にスライドさせることによりスロット溝22ｃに掛合可能にしたことを特徴とする請求項１記載の床下収納庫の吊支構造。
【請求項４】
ビーム部材２のＴ字型スリット22ａの幅広差入部22ｂとスロット溝22ｃとの境界縁部にストッパ突起22ｄを形成したことを特徴とする請求項３記載の床下収納庫の吊支構造。
【請求項５】
ビーム部材２の側面板体23・23の下縁対向位置にそれぞれ掛止溝23ａ・23ａが形成されており、吊支アーム１の掛止フック部11ａをこれらの掛止溝23ａ・23ａにおいて掛合可能ならしめるための切欠部22ｅを上面板体22の端縁に形成したことを特徴とする請求項１記載の床下収納庫の吊支構造。
【請求項６】
ビーム部材２の側面板体23・23の下縁対向位置にそれぞれ掛止溝23ａ・23ａが形成されている一方、吊支アーム１の先端部11には貫通孔11ｂが形成されており、
この貫通孔11ｂをビーム部材２の端部に挿通して、当該貫通孔11ｂの下端縁の掛止フック部11ａを掛止溝23ａ・23ａに掛合可能にしたことを特徴とする請求項１記載の床下収納庫の吊支構造。
【請求項７】
床材開口部Ｈ縁部に吊支アーム１の基端部12が固定されており、先端部11が掛合部21に付勢状態に掛合されて、吊支アーム１の側面が掛合部21の縁部に衝止可能であることを特徴とする請求項１〜６の何れか一つに記載の床下収納庫の吊支構造。
【請求項８】
吊支アーム１および／またはビーム部材２が、金属板体の打抜きおよび折曲加工により作製されていることを特徴とする請求項１〜７の何れか一つに記載の床下収納庫の吊支構造。
【発明の詳細な説明】
【技術分野】
【０００１】
本発明は、床下収納庫の設置構造の改良、更に詳しくは、点検作業などのために床下収納庫の設置箇所から床下に潜り込む必要がある場合に、ビーム部材の取り外しが自在であって、かつ、収納ボックスの荷重の支持強度にも優れた床下収納庫の吊支構造に関するものである。
【背景技術】
【０００２】
最近では、住宅などにおいて、床下のデッドスペースを有効利用するために、床板を取り外して、床下に設置する収納庫が知られている。
【０００３】
従来の床下収納庫にあっては、取り外した床板の開口縁の対向部にそれぞれ支持アームを取り付け、かつ、これらの支持アームの先端側にビーム材を横架することにより支持部を形成して、収納ボックスを支持できるように構成したものが開示されている（例えば、特許文献１参照）。
【０００４】
しかしながら、かかる開示された床下収納庫の吊り金具は、ビーム材（支持部材）の上面に形成されたスリットに支持アームを挿通して組み立てられるため、一旦、設置してしまうと、上端を根太などにビス止めして固定してしまうため、取り外すことができない。
【０００５】
したがって、収納庫の下面を支持するための吊支具のビーム材が取り外せず、住宅設備の床下の配管などを保守点検する作業をするために、収納庫を取り外し、その開口部から床下に潜り込もうとする際に、このビーム材が干渉して邪魔になってしまうという不満がある。
【０００６】
また、Ｌ字型に折曲成形された吊り金具にあっては、収納庫に物品などが収納されたときに当該金具に過度な重量負荷がかかると、屈曲部分が変形するおそれがあるため、十分な支持強度も要求される。
【特許文献１】実開平６−４９６４５号公報（第２−３頁、図１）
【発明の開示】
【発明が解決しようとする課題】
【０００７】
本発明は、従来の床下収納庫の吊支具に上記のような問題があったことに鑑みて為されたものであり、点検作業などのために収納庫の設置箇所から床下に潜り込む必要がある場合に、ビーム部材の取り外しが自在であって、かつ、収納ボックスの荷重の支持強度にも優れた床下収納庫の吊支構造を提供することを技術的課題とする。
【課題を解決するための手段】
【０００８】
本発明者が上記課題を解決するために採用した手段を添付図面を参照して説明すれば次のとおりである。
【０００９】
即ち、本発明は、床下に設置される収納庫において収納ボックスＢを吊支する構造であって、
先端部11には掛止フック部11ａを有し、かつ、基端部12には止着部12ａを有する吊支アーム１と；略コの字型断面であって、長手方向の両端部近傍にそれぞれ掛合部21を有するビーム部材２とを具備しており、
床材開口部Ｈの縁部対向位置に、一対の吊支アーム１・１における基端部12の止着部12ａをそれぞれ垂設する一方、
当該吊支アーム１・１の先端部11における掛止フック部11ａに、前記ビーム部材２の両端部における掛合部21をそれぞれ掛合することによって、これらの吊支アーム１・１間にビーム部材２を着脱自在かつ略水平に横架して、当該ビーム部材２の上に収納ボックスＢを載置可能であるとともに、
当該収納ボックスＢの荷重を、吊支アーム１の掛止フック部11ａにおいて、当該吊支アーム１の軸方向引張力により支持するという技術的手段を採用した。
【００１０】
また、本発明は、上記課題を解決するために、必要に応じて上記手段に加え、ビーム部材２の上面板体22の端縁の一部を切欠して掛合部21を形成し、吊支アーム１の先端部11をスライドさせて掛止フック部11ａを掛合可能にするという技術的手段を採用した。
【００１１】
更にまた、本発明は、上記課題を解決するために、必要に応じて上記手段に加え、ビーム部材２の上面板体22にＴ字型スリット22ａを貫設して掛合部21を形成し、このＴ字型スリット22ａの幅広差入部22ｂから吊支アーム１の先端部11を挿通して、側方にスライドさせることによりスロット溝22ｃに掛合可能にするという技術的手段を採用した。
【００１２】
更にまた、本発明は、上記課題を解決するために、必要に応じて上記手段に加え、ビーム部材２のＴ字型スリット22ａの幅広差入部22ｂとスロット溝22ｃとの境界縁部にストッパ突起22ｄを形成するという技術的手段を採用した。
【００１３】
更にまた、本発明は、上記課題を解決するために、必要に応じて上記手段に加え、ビーム部材２の側面板体23・23の下縁対向位置にそれぞれ掛止溝23ａ・23ａを形成し、吊支アーム１の掛止フック部11ａをこれらの掛止溝23ａ・23ａにおいて掛合可能ならしめるための切欠部22ｅを上面板体22の端縁に形成するという技術的手段を採用した。
【００１４】
更にまた、本発明は、上記課題を解決するために、必要に応じて上記手段に加え、ビーム部材２の側面板体23・23の下縁対向位置にそれぞれ掛止溝23ａ・23ａを形成する一方、吊支アーム１の先端部11には貫通孔11ｂを形成し、
この貫通孔11ｂをビーム部材２の端部に挿通して、当該貫通孔11ｂの下端縁の掛止フック部11ａを掛止溝23ａ・23ａに掛合可能にするという技術的手段を採用した。
【００１５】
更にまた、本発明は、上記課題を解決するために、必要に応じて上記手段に加え、床材開口部Ｈ縁部に吊支アーム１の基端部12を固定し、先端部11を掛合部21に付勢状態に掛合して、吊支アーム１の側面を掛合部21の縁部に衝止可能にするという技術的手段を採用した。
【００１６】
更にまた、本発明は、上記課題を解決するために、必要に応じて上記手段に加え、吊支アーム１および／またはビーム部材２を、金属板体の打抜きおよび折曲加工により作製するという技術的手段を採用した。
【発明の効果】
【００１７】
本発明の吊支構造にあっては、床材開口部の縁部対向位置において、一対の吊支アームの基端部における止着部をそれぞれ垂設し、当該吊支アームの先端部における掛止フック部を、前記ビーム部材の両端部における掛合部にそれぞれ掛合することにより、これらの吊支アーム間にビーム部材を着脱自在かつ略水平に横架して、当該ビーム部材の上に収納ボックスを載置可能にすることができる。
【００１８】
また、当該収納ボックスの荷重は吊支アームの掛止フック部において、当該吊支アームの軸方向引張力により支持することができるので、収納ボックスの荷重の支持強度にも優れている。
【００１９】
したがって、点検作業などのために収納庫の設置箇所から床下に潜り込まねばならない場合であっても、ビーム部材の取り外しが自在であるので、ビーム部材が作業に干渉することなく支障とならないことから、非常に使い勝手が良く、実用的利用価値は頗る高いものがある。
【発明を実施するための最良の形態】
【００２０】
本発明を実施するための最良の形態を具体的に図示した図面に基づいて更に詳細に説明すると、次のとおりである。
【００２１】
本発明の実施形態を図１から図９に基づいて説明する。図中、符号１で指示するものは吊支アームであり、この吊支アーム１は、先端部11に掛止フック部11ａを有し、かつ、基端部12には止着部12ａを有する。
【００２２】
また、符号２で指示するものはビーム部材であり、このビーム部材２は、略コの字型断面であって、長手方向の両端部近傍にそれぞれ掛合部21を有する。
【００２３】
しかして、本発明にあっては、床下に設置される収納庫において収納ボックスＢを吊支する構造であって、その全体的構成を図１に基づいて説明すると、まず、床材開口部Ｈの縁部対向位置に、一対の吊支アーム１・１における基端部12の止着部12ａをそれぞれ垂設する。この際、例えば、止着部12ａの孔部にビスなどを螺入し、根太や蓋受材などに固定することができる。
【００２４】
次いで、当該吊支アーム１・１の先端部11における掛止フック部11ａを、前記ビーム部材２の両端部における掛合部21にそれぞれ掛合させることによって、これらの吊支アーム１・１間にビーム部材２を着脱自在かつ略水平に横架して、当該ビーム部材２の上に収納ボックスＢを載置可能にすることができる。
【００２５】
この際、当該収納ボックスＢの荷重は、構造上、吊支アーム１の掛止フック部11ａにおいて、当該吊支アーム１の軸方向引張力により支持されている。
【００２６】
以下に、当該吊支アーム１における先端部11の掛止フック部11ａと、前記ビーム部材２の掛合部21との掛合態様についての具体的な実施例について説明する。
【実施例１】
【００２７】
まず、本発明の第１実施例を図２および３に基づいて説明する。本実施例では、ビーム部材２の上面板体22の端縁の一部を切欠して掛合部21を形成し（図２参照）、吊支アーム１の先端部11をスライドさせて掛止フック部11ａを掛合することができるようにする（図３参照）。
【００２８】
この掛合操作の際には、基端部12において上端が固定されているため、必要に応じて、吊支アーム１を内外何れかに若干弾性変形せしめて、先端部11をビーム部材２の端縁に挿通させる。
【００２９】
なお、本実施例では、吊支アーム１および／またはビーム部材２を、金属板体の打抜きおよび折曲加工により作製することが可能であり、加工性が良く簡素な工程となるため、製造コストのダウンを図ることもできる。
【００３０】
ここで、前述したように、当該収納ボックスＢの荷重は、構造上、吊支アーム１の掛止フック部11ａにおいて、当該吊支アーム１の軸方向引張力により支持することができるので、吊支アーム１の撓みや曲がり、折れなどを防止して、材料強度を最も効率的に活かすことができるのである。
【実施例２】
【００３１】
次に、本発明の第２実施例を図４および図５に基づいて説明する。本実施例では、ビーム部材２の上面板体22にＴ字型スリット22ａを貫設して掛合部21を形成し、このＴ字型スリット22ａの幅広差入部22ｂから吊支アーム１の先端部11を挿通して、側方にスライドさせることによりスロット溝22ｃに掛合可能に構成した（図４参照）。
【００３２】
本実施例の構成によれば、吊支アーム１の先端部11の幅サイズを許容する幅広差入部22ｂにおいてのみ挿通可能であるため、当該先端部11がスロット溝22ｃにおいて掛合されることにより、抜け落ちを防止することができる。
【００３３】
なお、図５に示すように、ビーム部材２のＴ字型スリット22ａの幅広差入部22ｂとスロット溝22ｃとの境界縁部にストッパ突起22ｄを形成することもでき、横ズレや振動などで先端部11が幅広差入部22ｂ側に戻って不用意に外れるのを防止することができる。また、このストッパ突起22ｄは、図６に示すように、第１実施例のものについても形成することができる。
【実施例３】
【００３４】
次に、本発明の第３実施例を図７および図８に基づいて説明する。本実施例では、ビーム部材２の側面板体23・23の下縁対向位置にそれぞれ掛止溝23ａ・23ａを形成し、吊支アーム１の掛止フック部11ａをこれらの掛止溝23ａ・23ａにおいて掛合可能ならしめるための切欠部22ｅを上面板体22の端縁に形成する。具体的には、先端部11の括れ部分が当該切欠部22ｅに干渉しないように構成されている。
【００３５】
本実施例の構成によれば、ビーム部材２を支持する際に、収納ボックスＢの荷重が、吊支アーム１の先端部11の掛止フック部11ａにかかると共に、ビーム部材２にあっても、荷重を側面板体23の軸方向に受けるので、非常に強固な支持力を得ることができる。
【実施例４】
【００３６】
次に、本発明の第４実施例を図９および図１０に基づいて説明する。本実施例では、ビーム部材２の側面板体23・23の下縁対向位置に、それぞれ掛止溝23ａ・23ａを形成する一方、吊支アーム１の先端部11には貫通孔11ｂを形成する。
【００３７】
そして、この貫通孔11ｂをビーム部材２の端部に挿通して、当該貫通孔11ｂの下端縁の掛止フック部11ａを掛止溝23ａ・23ａに掛合可能にする。
【００３８】
本実施例の構成によれば、第３実施例と同様に、ビーム部材２を支持する際に、収納ボックスＢの荷重が、吊支アーム１の先端部11の掛止フック部11ａにかかると共に、ビーム部材２にあっても、荷重を側面板体23の軸方向に受けるので、非常に強固な支持力を得ることができる。
【００３９】
なお、本発明の吊支構造にあっては、上記何れの実施例においても、床材開口部Ｈ縁部に吊支アーム１の基端部12を固定し、床材開口部Ｈにおける対向する吊支アーム１・１の取付間隔よりも、ビーム部材２の掛合部21・21の間隔を小さく（あるいは大きく）することによって、先端部11を付勢状態に掛合して、吊支アーム１の側面を掛合部21の縁部に衝止可能にすることができ、掛合が外れる可能性を排除することによって着脱自在であるがゆえの問題点を解消することができるのである。
【００４０】
本発明は概ね上記のように構成されるが、図示の実施形態に限定されるものでは決してなく、「特許請求の範囲」の記載内において種々の変更が可能であって、例えば、吊支アーム１の先端部11の形状は、掛止フック部11ａを有するものであれば、図示したように括れ部分を有するものに限らず、Ｔ字型のものであっても良いし、また、基端部12の止着部12ａは、回転自在なヒンジ結合にすることもできる。
【００４１】
更にまた、吊支アーム１および／またはビーム部材２は、金属板体の打抜きおよび折曲加工により作製することが可能であるけれども、プラスチック材料による射出成形や押出成形により作成することもでき、これら何れのものも本発明の技術的範囲に属する。
【図面の簡単な説明】
【００４２】
【図１】本発明の吊支構造を表わす全体斜視図である。
【図２】本発明の第１実施例の吊支構造を表わす部分斜視図である。
【図３】本発明の第１実施例の吊支構造を表わす部分斜視図である。
【図４】本発明の第２実施例の吊支構造を表わす部分斜視図である。
【図５】本発明の第２実施例の吊支構造を表わす部分斜視図である。
【図６】本発明の第１実施例の変形例の吊支構造を表わす部分斜視図である。
【図７】本発明の第３実施例の吊支構造を表わす部分斜視図である。
【図８】本発明の第３実施例の吊支構造を表わす部分斜視図である。
【図９】本発明の第４実施例の吊支構造を表わす部分斜視図である。
【図１０】本発明の第４実施例の吊支構造を表わす部分斜視図である。
【符号の説明】
【００４３】
１    吊支アーム
11    先端部
11ａ  掛止フック部
11ｂ  貫通孔
12    基端部
12ａ  止着部
２    ビーム部材
21    掛合部
22    上面板体
22ａ  Ｔ字型スリット
22ｂ  幅広差入部
22ｃ  スロット溝
22ｄ  ストッパ突起
22ｅ  切欠部
23    側面板体
23ａ  掛止溝
Ｂ    ボックス本体
Ｈ    床材開口部
【図１】
2006274552.tif 000003
【図２】
2006274552.tif 000004
【図３】
2006274552.tif 000005
【図４】
2006274552.tif 000006
【図５】
2006274552.tif 000007
【図６】
2006274552.tif 000008
【図７】
2006274552.tif 000009
【図８】
2006274552.tif 000010
【図９】
2006274552.tif 000011
【図１０】
2006274552.tif 000012